【手続補正書】
【提出日】令和3年5月25日(2021.5.25)
【手続補正１】
【補正対象書類名】特許請求の範囲
【補正対象項目名】全文
【補正方法】変更
【補正の内容】
【特許請求の範囲】
【請求項１】
軸方向磁束モータまたは発電機であって、
回転軸を中心として回転するロータシャフト（４０８）と、
前記ロータシャフト（４０８）と係合する第１のロータプレート（４０６ａ）と、
前記第１のロータプレート（４０６ａ）に取り付けられる第１の磁石（１０２ａ）であって、前記第１の磁石（１０２ａ）は、前記第１の磁石（１０２ａ）の磁化方向に対して直交する第１の表面（１１０２）を有する、第１の磁石（１０２ａ）と
を備え、
前記第１のロータプレート（４０６ａ）および第１の磁石（１０２ａ）は、前記第１のロータプレート（４０６ａ）および前記第１の磁石（１０２ａ）が、他の磁場発生構成要素全てから分離される場合、第１の平面と第２の平面との間の距離が、実質的にゼロを上回るように構成および配列され、前記第１の平面は、前記第１の表面（１１０２）上の第１の点（７０２）にインターセプトし、前記第１の平面に対して前記回転軸が法線方向にあり、前記第２の平面は、前記第１の表面（１１０２）上の第２の点（７０４）にインターセプトし、前記第２の平面に対して前記回転軸が法線方向にあり、
前記軸方向磁束モータまたは発電機は、
前記ロータシャフト（４０８）と係合される第２のロータプレート（４０６ｂ）と、
第２の磁石（１０２ｂ）であって、前記第２の磁石（１０２ｂ）は、第１の磁束が、前記第１の磁石（１０２ａ）と前記第２の磁石（１０２ｂ）との間の間隙（１００２）の中に生成されるように、前記第２のロータプレート（４０６ｂ）に取り付けられる、第２の磁石（１０２ｂ）と
をさらに備え、
前記第１のロータプレート（４０６ａ）および前記第２のロータプレート（４０６ｂ）は、前記第１の磁束が、前記第１の平面と前記第２の平面との間の前記距離を実質的にゼロに等しくさせるように、位置付けられ、
前記軸方向磁束モータまたは発電機は、前記間隙（１００２）の中に配置されるステータ（１０４）をさらに備え、
前記ステータ（１０４）は、前記ロータシャフト（４０８）、前記第１のロータプレート（４０６ａ）、および前記第１の磁石（１０２ａ）を連動して回転させるように、前記第１の磁束と相互作用する第２の磁束を選択的に生成するように構成される、軸方向磁束モータまたは発電機。
【請求項２】
前記第１の磁石（１０２ａ）が取り付けられる前記第１のロータプレート（４０６ａ）の一部は、直円錐台の形状を有する、請求項１に記載の軸方向磁束モータまたは発電機。
【請求項３】
前記第１の磁石（１０２ａ）は、交互の磁極を伴うリング磁石を含む、請求項１または請求項２に記載の軸方向磁束モータまたは発電機。
【請求項４】
前記第１の磁石（１０２ａ）は、前記回転軸を中心とする個別の角度位置において前記第１のロータプレート（４０６ａ）上に配置される複数の個々の磁石のうちの１つである、請求項１または請求項２に記載の軸方向磁束モータまたは発電機。
【請求項５】
前記第１のロータプレート（４０６ａ）は、第１の材料で作製され、
前記複数の個々の磁石は、前記第１の材料と異なる第２の材料を使用して分離され、位置する、請求項４に記載の軸方向磁束モータまたは発電機。
【請求項６】
前記第２の点（７０４）は、前記第１の点（７０２）よりも、前記回転軸から大きい半径方向距離にあり、
前記第１の点（７０２）および前記第２の点（７０４）は、それぞれ、第１の場所および第２の場所において、前記第１のロータプレート（４０６ａ）の第２の表面に接触し、
前記第１のロータプレート（４０６ａ）および前記第１の磁石（１０２ａ）は、前記第１のロータプレート（４０６ａ）および前記第１の磁石（１０２ａ）が、他の磁場発生構成要素全てから分離される場合、前記第２の表面から離れるように延在し、前記第２の場所において前記第２の表面に対して法線方向にある光線が、前記第１の平面にインターセプトするようにさらに構成および配列される、請求項１〜５のいずれか１項に記載の軸方向磁束モータまたは発電機。
【請求項７】
前記第１のロータプレート（４０６ａ）および前記第１の磁石（１０２ａ）は、前記第１のロータプレート（４０６ａ）および前記第１の磁石（１０２ａ）が、他の磁場発生構成要素全てから分離される場合、前記光線と前記第１の平面との間の角度が、実質的に９０度未満であるようにさらに構成および配列される、請求項６に記載の軸方向磁束モータまたは発電機。
【請求項８】
前記第２の点（７０４）は、前記第１の点（７０２）よりも、前記回転軸から大きい半径方向距離にあり、
前記第１の点（７０２）および前記第２の点（７０４）は、それぞれ、第１の場所および第２の場所において、前記第１のロータプレート（４０６ａ）の第２の表面に接触し、
前記第１のロータプレート（４０６ａ）および前記第２のロータプレート（４０６ｂ）は、前記第２の平面が、前記第１の平面の第１の側上にあるように位置付けられ、
前記第１のロータプレート（４０６ａ）および前記第１の磁石（１０２ａ）は、前記第１のロータプレート（４０６ａ）および前記第１の磁石（１０２ａ）が、他の磁場発生構成要素全てから分離された場合、
前記第２の表面から離れるように延在し、前記第２の場所において前記第２の表面に対して法線方向にある光線が、前記第１の平面にインターセプトし、
前記第２の平面が、前記第１の平面の第１の側上に留まる
ようにさらに構成および配列される、請求項１に記載の軸方向磁束モータまたは発電機。
【請求項９】
ケーシング（１１０）であって、前記ケーシング（１１０）は、前記第１のロータプレート（４０６ａ）、前記第１の磁石（１０２ａ）、前記ステータ（１０４）、前記第２のロータプレート（４０６ｂ）、前記第２の磁石（１０２ｂ）、および前記ロータシャフト（４０８）の一部を少なくとも部分的に封入する、ケーシング（１１０）
をさらに備え、
前記第１のロータプレート（４０６ａ）、前記第１の磁石（１０２ａ）、前記第２のロータプレート（４０６ｂ）、前記第２の磁石（１０２ｂ）、および前記ロータシャフト（４０８）は、前記ケーシング（１１０）に対して移動可能であり、
前記ステータ（１０４）は、前記ケーシング（１１０）に対して固定される、請求項１に記載の軸方向磁束モータまたは発電機。
【請求項１０】
前記第１のロータプレート（４０６ａ）、前記第１の磁石（１０２ａ）、前記第２のロータプレート（４０６ｂ）、および前記第２の磁石（１０２ｂ）は、前記第１の平面と前記第２の平面との間の前記距離と、前記第１の点（７０２）と前記第２の点（７０４）との間の距離との比が、第１の値であるように構成および配列され、
前記第１のロータプレート（４０６ａ）および第１の磁石（１０２ａ）は、前記第１のロータプレート（４０６ａ）および前記第１の磁石（１０２ａ）が、他の磁場発生構成要素全てから分離される場合、前記第１の平面と前記第２の平面との間の前記距離と、前記第１の点（７０２）と前記第２の点（７０４）との間の前記距離との比が、前記第１の値の少なくとも２倍である第２の値であるようにさらに構成および配列される、請求項１〜９のいずれか１項に記載の軸方向磁束モータまたは発電機。
【請求項１１】
前記第１の磁石（１０２ａ）は、前記第１の点（７０２）に配置される内縁を有し、
前記第１の磁石（１０２ａ）は、外縁を有し、前記外縁は、前記内縁の反対側にあり、前記第２の点（７０４）に配置され、
前記第１のロータプレート（４０６ａ）および第１の磁石（１０２ａ）は、前記第１のロータプレート（４０６ａ）および前記第１の磁石（１０２ａ）が、他の磁場発生構成要素全てから分離される場合、前記第１の平面と前記第２の平面との間の前記距離と、前記第１の点（７０２）と前記第２の点（７０４）との間の距離との比が、０．００２を上回るようにさらに構成および配列される、請求項１〜１０のいずれか１項に記載の軸方向磁束モータまたは発電機。
【請求項１２】
軸方向磁束モータまたは発電機を形成するための方法であって、
第１のロータプレート（４０６ａ）に第１の磁石（１０２ａ）を取り付けることであって、前記第１の磁石（１０２ａ）は、前記第１の磁石（１０２ａ）の磁化方向に対して直交する第１の表面（１１０２）を有する、ことと、
前記第１のロータプレート（４０６ａ）を、回転軸を中心として回転するロータシャフト（４０８）と係合することであって、前記第１の磁石（１０２ａ）が前記第１のロータプレート（４０６ａ）に取り付けられた後、第１の平面と第２の平面との間の距離が、実質的にゼロを上回るように構成され、前記第１の平面は、前記第１の表面（１１０２）上の第１の点（７０２）にインターセプトし、前記第１の平面に対して前記回転軸が法線方向にあり、前記第２の平面は、前記第１の表面（１１０２）上の第２の点（７０４）にインターセプトし、前記第２の平面に対して前記回転軸が法線方向にある、ことと
を含み、
前記方法は、第２のロータプレート（４０６ａ）を前記ロータシャフト（４０８）と係合させることをさらに含み、第２の磁石（１０２ｂ）が、前記第２のロータプレート（４０６ａ）に取り付けられ、第１の磁束が、前記第１の磁石（１０２ａ）と前記第２の磁石（１０２ｂ）との間の間隙（１００２）の中に生成され、
前記第１のロータプレート（４０６ａ）および前記第２のロータプレート（４０６ｂ）は、前記第１の磁束が、前記第１の平面と第２の平面との間の前記距離を実質的にゼロに等しくさせるように、前記ロータシャフト（４０８）と係合され、
前記方法は、ステータ（１０４）が前記間隙（１００２）の中に配置されるように、前記第２のロータプレート（４０６ｂ）を前記ロータシャフト（４０８）と係合させることをさらに含み、前記ステータ（１０４）は、前記ロータシャフト（４０８）、前記第１のロータプレート（４０６ａ）、および前記第１の磁石（１０２ａ）を連動して回転させるように前記第１の磁束と相互作用する第２の磁束を選択的に生成するように構成される、方法。
【手続補正２】
【補正対象書類名】明細書
【補正対象項目名】０００５
【補正方法】変更
【補正の内容】
【０００５】
いくつかの実施形態では、軸方向磁束モータまたは発電機における使用のためのアセンブリを形成するための方法は、ロータプレートに磁石を取り付けるステップを含み、磁石は、第１の磁石の磁化方向に対して直交する表面を有する。ロータプレートは、回転軸を中心として回転する、ロータシャフトに係合するように適合され、磁石がロータプレートに取り付けられた後、第１の平面と第２の平面との間の距離が、実質的にゼロを上回るように構成され、該第１の平面は、表面上の第１の点にインターセプトし、それに対して回転軸が法線方向にあり、該第２の平面は、表面上の第２の点にインターセプトし、それに対して回転軸が法線方向にある。
本発明は、例えば、以下を提供する。
（項目１）
軸方向磁束モータまたは発電機内での使用のためのアセンブリであって、
回転軸を中心として回転するロータシャフトに係合するように適合される第１のロータプレートと、
前記第１のロータプレートに取り付けられる第１の磁石であって、前記第１の磁石は、前記第１の磁石の磁化方向に対して直交する第１の表面を有する、第１の磁石と
を備え、
前記第１のロータプレートおよび第１の磁石は、前記第１のロータプレートおよび前記第１の磁石が、他の磁場発生構成要素全てから分離される場合、第１の平面と第２の平面との間の距離が、実質的にゼロを上回るように構成および配列され、前記第１の平面は、前記第１の表面上の第１の点にインターセプトし、それに対して回転軸が法線方向にあり、前記第２の平面は、前記第１の表面上の第２の点にインターセプトし、それに対して前記回転軸が法線方向にある、アセンブリ。
（項目２）
前記第１のロータプレートは、その中心に開口部を伴う環状形状を有し、前記開口部は、前記ロータシャフトを受容するように適合される、項目１に記載のアセンブリ。
（項目３）
前記第１の磁石が取り付けられる前記第１のロータプレートの一部は、直円錐台の形状を有する、項目１または項目２に記載のアセンブリ。
（項目４）
前記第１の磁石は、交互の磁極を伴うリング磁石を含む、項目１−３のいずれか１項に記載のアセンブリ。
（項目５）
前記第１の磁石は、前記回転軸を中心とする個別の角度位置において前記第１のロータプレート上に配置される複数の個々の磁石のうちの１つである、項目１−３のいずれか１項に記載のアセンブリ。
（項目６）
前記第１のロータプレートは、第１の材料で作製され、
前記複数の個々の磁石は、前記第１の材料と異なる第２の材料を使用して分離され、位置する、
項目５に記載のアセンブリ。
（項目７）
前記第２の点は、前記第１の点よりも、前記第１の磁石の中心から大きい距離にあり、
前記第１および第２の点は、それぞれ、第１および第２の場所において、前記第１のロータプレートの第２の表面に接触し、
前記第１のロータプレートおよび前記第１の磁石はさらに、前記第１のロータプレートおよび前記第１の磁石が、他の磁場発生構成要素全てから分離される場合、前記第２の場所から離れるように延在し、そこにおいて前記第２の表面に対して法線方向にある光線が、前記第１の平面にインターセプトするように構成および配列される、
項目１−６のいずれか１項に記載のアセンブリ。
（項目８）
前記第１のロータプレートおよび前記第１の磁石はさらに、前記第１のロータプレートおよび前記第１の磁石が、他の磁場発生構成要素全てから分離される場合、前記光線と前記第１の平面との間の角度が、実質的に９０度未満であるように構成および配列される、項目７に記載のアセンブリ。
（項目９）
前記ロータシャフトであって、前記第１のロータプレートが、前記ロータシャフトと係合される、前記ロータシャフトと、
前記ロータシャフトと係合される第２のロータプレートと、
第２の磁石であって、第１の磁束が、前記第１の磁石と第２の磁石との間の間隙の中に生成されるように、前記第２のロータプレートに取り付けられる、第２の磁石と
をさらに備える、項目１−８のいずれか１項に記載のアセンブリ。
（項目１０）
前記第２の点は、前記第１の点よりも、前記第１の磁石の中心から大きい距離にあり、
前記第１および第２の点は、それぞれ、第１および第２の場所において、前記第１のロータプレートの第２の表面に接触し、
前記第１および第２のロータプレートは、前記第２の平面が、前記第１の平面の第１の側上にあるように位置付けられ、
前記第１のロータプレートおよび前記第１の磁石はさらに、前記第１のロータプレートおよび前記第１の磁石が、他の磁場発生構成要素全てから分離された場合、
前記第２の場所から離れるように延在し、そこにおいて前記第２の表面に対して法線方向にある光線が、前記第１の平面にインターセプトし、
前記第２の平面が、前記第１の平面の第１の側上に留まる
ように構成および配列される、項目９に記載のアセンブリ。
（項目１１）
前記第１および第２のロータプレートは、前記第１の磁束が、前記第１の平面と第２の平面との間の前記距離を実質的にゼロに等しくさせるように位置付けられる、項目９に記載のアセンブリ。
（項目１２）
前記間隙の中に配置されるステータであって、前記ステータは、前記ロータシャフト、前記第１のロータプレート、および前記第１の磁石を連動して回転させるように、前記第１の磁束と相互作用する第２の磁束を選択的に生成するように構成される、ステータ
をさらに備える、項目９−１１のいずれか１項に記載のアセンブリ。
（項目１３）
ケーシングであって、前記ケーシングは、少なくとも部分的に、前記第１のロータプレート、前記第１の磁石、前記ステータ、前記第２のロータプレート、前記第２の磁石、および前記ロータシャフトの一部を封入する、ケーシング
をさらに備え、
前記第１のロータプレート、前記第１の磁石、前記第２のロータプレート、前記第２の磁石、および前記ロータシャフトは、前記ケーシングに対して移動可能であり、
前記ステータは、前記ケーシングに対して固定される、項目１２に記載のアセンブリ。
（項目１４）
少なくとも１つの軸受であって、前記少なくとも１つの軸受は、前記ケーシングと前記ロータシャフトとの間に配置され、前記ケーシングと前記ロータシャフトとの間の相対移動を可能にする、少なくとも１つの軸受
をさらに備える、項目１３に記載のアセンブリ。
（項目１５）
前記第１のロータプレート、前記第１の磁石、前記第２のロータプレート、および前記第２の磁石は、前記第１の平面と第２の平面との間の前記距離と、前記第１の点と第２の点との間の距離との比が、第１の値であるように構成および配列され、
前記第１のロータプレートおよび第１の磁石はさらに、前記第１のロータプレートおよび前記第１の磁石が、他の磁場発生構成要素全てから分離される場合、前記第１の平面と第２の平面との間の前記距離と、前記第１の点と第２の点との間の前記距離との比が、前記第１の値の少なくとも２倍である第２の値であるように構成および配列される、
項目９−１４のいずれか１項に記載のアセンブリ。
（項目１６）
前記第１の磁石は、前記第１の点に配置される内縁を有し、
前記第１の磁石は、外縁を有し、前記外縁は、前記内縁の反対側にあり、前記第２の点に配置され、
前記第１のロータプレートおよび第１の磁石はさらに、前記第１のロータプレートおよび前記第１の磁石が、他の磁場発生構成要素全てから分離される場合、前記第１の平面と第２の平面との間の前記距離と、前記第１の点と第２の点との間の距離との比が、０．００２を上回るように構成および配列される、
項目１−１５のいずれか１項に記載のアセンブリ。
（項目１７）
軸方向磁束モータまたは発電機における使用のためのアセンブリを形成するための方法であって、
第１のロータプレートに第１の磁石を取り付けるステップであって、前記第１の磁石は、前記第１の磁石の磁化方向に対して直交する第１の表面を有し、前記第１のロータプレートは、回転軸を中心として回転するロータシャフトに係合するように適合され、前記第１の磁石が前記第１のロータプレートに取り付けられた後、第１の平面と、第２の平面との間の距離が、実質的にゼロを上回るように構成され、前記第１の平面は、前記第１の表面上の第１の点にインターセプトし、それに対して前記回転軸が法線方向にあり、前記第２の平面は、前記第１の表面上の第２の点にインターセプトし、それに対して前記回転軸が法線方向にある、ステップ
を含む、方法。
（項目１８）
前記第１のロータプレートは、その中心に開口部を伴う環状形状を有し、前記開口部は、前記ロータシャフトを受容するように適合される、項目１７に記載の方法。
（項目１９）
前記第１の磁石が取り付けられる前記第１のロータプレートの一部は、直円錐台の形状を有する、項目１７または項目１８に記載の方法。
（項目２０）
前記第１の磁石は、交互の磁極を伴うリング磁石を含む、項目１７−１９のいずれか１項に記載の方法。
（項目２１）
前記第１の磁石は、前記回転軸を中心とする個別の角度位置において前記第１のロータプレート上に配置される複数の個々の磁石のうちの１つである、項目１７−１９のいずれか１項に記載の方法。
（項目２２）
前記第２の点は、前記第１の点よりも、前記第１の磁石の中心から大きい距離にあり、
前記第１および第２の点は、それぞれ、第１および第２の場所において、前記第１のロータプレートの第２の表面に接触し、
前記第１の磁石が前記第１のロータプレートに取り付けられた後、前記第２の場所から離れるように延在し、そこにおいて前記第２の表面に対して法線方向にある光線が、前記第１の平面にインターセプトする、
項目１７−２１のいずれか１項に記載の方法。
（項目２３）
前記第１の磁石が前記第１のロータプレートに取り付けられた後、前記光線と前記第１の平面との間の角度が、実質的に９０度未満である、項目２２に記載の方法。
（項目２４）
前記第１のロータプレートを前記ロータシャフトと係合させるステップと、
第２のロータプレートを前記ロータシャフトと係合させるステップとをさらに含み、第２の磁石が、前記第２のロータプレートに取り付けられ、第１の磁束が、前記第１の磁石と第２の磁石との間の間隙の中に生成される、
項目１７−２３のいずれか１項に記載の方法。
（項目２５）
前記第２の点は、前記第１の点よりも、前記第１のロータプレートの中心から大きい距離にあり、
前記第１および第２の点は、それぞれ、第１および第２の場所において、前記第１のロータプレートの第２の表面に接触し、
前記第２のロータプレートを前記ロータシャフトに係合させるステップに先立って、前記第２の場所から離れるように延在し、そこにおいて前記第２の表面に対して法線方向にある光線が、前記第１の平面にインターセプトし、前記第２の平面は、前記第１の平面の第１の側上にあり、
前記第２のロータプレートを前記ロータシャフトに係合させるステップの後、前記第２の平面は、前記第１の平面の第１の側上にある、
項目２４に記載の方法。
（項目２６）
前記第１および第２のロータプレートは、前記第１の磁束が、前記第１の平面と第２の平面との間の前記距離を実質的にゼロに等しくさせるように、前記ロータシャフトと係合される、項目２４に記載の方法。
（項目２７）
前記第２のロータプレートを前記ロータシャフトと係合させるステップはさらに、
ステータが前記間隙の中に配置されるように、前記第２のロータプレートを前記ロータシャフトと係合させるステップであって、前記ステータは、前記ロータシャフト、前記第１のロータプレート、および前記第１の磁石を連動して回転させるように前記第１の磁束と相互作用する第２の磁束を選択的に生成するように構成される、ステップ
を含む、項目２４−２６のいずれか１項に記載の方法。
（項目２８）
前記第２のロータプレートを前記ロータシャフトと係合させるステップに先立って、前記第１の平面と第２の平面との間の前記距離と、前記第１の点と第２の点との間の距離との比が、第１の値であり、
前記第２のロータプレートを前記ロータシャフトと係合させるステップの後、前記第１の平面と第２の平面との間の前記距離と、前記第１の点と第２の点との間の前記距離との比は、第２の値であり、前記第１の値は、前記第２の値の少なくとも２倍である、
項目２４−２７のいずれか１項に記載の方法。
（項目２９）
前記第１の磁石は、前記第１の点に配置される内縁を有し、
前記第１の磁石は、外縁を有し、前記外縁は、前記内縁の反対側にあり、前記第２の点に配置され、
前記第１の磁石が前記第１のロータプレートに取り付けられた後、および前記第２のロータプレートが前記ロータシャフトと係合される前に、前記第１の平面と第２の平面との間の前記距離と、前記第１の点と第２の点との間の距離との比が、０．００２を上回る、
項目２４−２８のいずれか１項に記載の方法。
（項目３０）
前記第１の磁石が、前記第１のロータプレートに取り付けられた後、
前記第１の磁石は、前記第１の点に配置される内縁を有し、
前記第１の磁石は、外縁を有し、前記外縁は、前記内縁の反対側にあり、前記第２の点に配置され、
前記第１の平面と第２の平面との間の前記距離と、前記第１の点と第２の点との間の距離との比が、０．００２を上回る、
項目１７−２８のいずれか１項に記載の方法。